(57)【要約】【課題】  レトログラード式のクロノグラフ表示においてコスト高になり易いハートカムの利用を最低限に抑え得るレトログラード式のクロノグラフ表示機構及びこれを備えたクロノグラフ時計を提供すること【解決手段】  クロノグラフ時計２のレトログラード式のクロノグラフ表示機構１は、渦巻き状のカム面を備えたカムを有するカム車１０と、規制レバー部２１の先端部２４でカム面１２に当接し、カム車の順方向Ａ１の回転に応じて回動して、クロノグラフ指４２を初期位置Ｍ１から該初期位置とは異なる最大位置Ｍ３までの範囲で表示させるレトログラード式表示の制御機構２０，４０とを有し、カム車のカムの渦巻きの最大径部１８と該最小径部１６との間に形成される段差部１９又はその近傍の基準位置Ｄ１に規制レバー部の先端部２４が位置する際に、クロノグラフ指針４２が初期位置Ｍ１に設定されるように構成される。【選択図】  図１
2009121962.tif 000002
【特許請求の範囲】
【請求項１】
渦巻き状のカム面を備えたカムを有するカム車と、
規制レバー部の先端部でカム面に当接し、カム車の順方向回転に応じて回動して、クロノグラフ指針を初期位置から該初期位置とは異なる最大位置までの範囲で表示させるレトログラード式表示の制御機構と
を有するレトログラード式のクロノグラフ表示機構であって、
カム車のカムの渦巻きの最大径部と該最小径部との間に形成される段差部又はその近傍の基準位置に規制レバー部の先端部が位置する際に、クロノグラフ指針が初期位置に設定されるように構成された
レトログラード式のクロノグラフ表示機構。
【請求項２】
カム車のカムは、該カム車が逆方向に回転された際にのみ規制レバー部の先端部が侵入する引き込み部を有する請求項１に記載のクロノグラフ表示機構。
【請求項３】
カム車の逆方向回転に応じて規制レバー部の先端部が引き込み部に侵入し引込み部の奥端に当接して、カム車のそれ以上の逆転を不能にしたことを検出する逆転不能検出部を有する請求項２に記載のクロノグラフ表示機構。
【請求項４】
逆転不能検出部によるカム車の逆転不能の検出に応じて、規制レバー部の先端部が、カム面の引き込み部の奥端に当接する状態からカム面の基準位置に当接する状態に至るに要する回転角だけカム車を回転させる位置決め回転部を有する請求項３に記載のクロノグラフ表示機構。
【請求項５】
前記レトログラード式表示の制御機構が、前記規制レバー部及びクロノグラフ指針用回転伝達車部を一体的に有するレバー車と、該レバー車のクロノグラフ指針用回転伝達車部によって回転される表示車とを有し、
クロノグラフ指針が該表示車の回転に応じて回転されるように構成された
請求項１から４までのいずれか一つの項に記載のクロノグラフ表示機構。
【請求項６】
クロノグラフ指針用回転伝達車部が扇形車である請求項５に記載のクロノグラフ指針表示装置。
【請求項７】
前記レトログラード式表示の制御機構が、規制レバー部の先端部をカム面に押付ける規制ばねを有する請求項１から６までのいずれか一つの項に記載のクロノグラフ表示機構。
【請求項８】
クロノグラフ指針が最大計測値を表示する最大位置にあるときにカム車が順方向に回転されると、クロノグラフ指針が最大位置から初期位置へ瞬時に移動するように構成された請求項１から７までのいずれか一つの項に記載のクロノグラフ表示機構。
【請求項９】
前記クロノグラフ指針が、秒クロノグラフ針、分クロノグラフ針及び時クロノグラフ針のうちの少なくとも一つの指針である請求項１から８までのいずれか一つの項に記載のクロノグラフ表示機構。
【請求項１０】
請求項１から９までのいずれか一つの項に記載のクロノグラフ表示機構を有するクロノグラフ時計。
【発明の詳細な説明】
【技術分野】
【０００１】
クロノグラフ表示機構及びこれを備えたクロノグラフ時計に係る。
【背景技術】
【０００２】
アナログクロノグラフ時計においては、クロノグラフ指針を帰零させるために、ハートカムを有し、該ハートカムを叩いて該ハートカムの形状により規定される初期位置にハートカムを回転させることにより、クロノグラフ指針を強制的に初期位置に戻す。
【０００３】
クロノグラフ指針を初期位置と該初期位置とは異なる最大位置との範囲で移動させてクロノグラフ表示を行わせるレトログラード表示形式のクロノグラフ時計においても、通常のハートカムを用いて帰零を行わせ得るように、ハートカムが逆転可能な範囲を越えて回転されるのを規制したり、ハートカムを帰零させる際にハートカムに対して逆転方向の力が確実にかかるようにすることは、提案されている（特許文献１）。
【０００４】
しかしながら、上記のように、従来のハートカムを利用しつつレトログラード表示を行い得るようにしようとすると、構造が複雑化するのを避け難い。なお、ハートカム及びその支持部材は、打撃に耐え得る構造及び材料で形成される必要があることから、元々、部品のコストが高くなるのを避け難い。
【０００５】
一方、クロノグラフ時計ではなくて比較的大形の時計（クロック）であって電波修正等の際に時刻表示指針（時針や分針や秒針）を一旦基準位置に戻して針位置を合わせるタイプの時計において、逆転された際にのみ、正転時に追従する円形溝に対して斜め内向きにズレた溝に、レバーの端部が入り込むことにより基準位置を決めるようにすることは、提案されている（特許文献２）。
【０００６】
しかしながら、この提案では、円形の車にレバーの端部が係合して入り込む斜め内向きの溝を設ける必要があり、クロノグラフ時計のクロノグラフ表示機構のような小さいものには、適用し難い。
【０００７】
また、この提案は、レバーの半径方向内向きの揺動に応じて該レバーと一体的な別のレバーを同時に揺動させ、他の時刻表示指針（時針や分針や秒針）をも基準位置に合わせ得るようにしようとするもので、実際上、比較的大形の時計（クロック）における電波修正等に限られた技術である。
【特許文献１】特開２００５−３００２８２号公報
【特許文献２】特開２００５−３００３２８号公報
【発明の開示】
【発明が解決しようとする課題】
【０００８】
本発明は、前記諸点に鑑みなされたものであって、その目的とするところは、レトログラード式のクロノグラフ表示においてコスト高になり易いハートカムの利用を最低限に抑え得るレトログラード式のクロノグラフ表示機構及びこれを備えたクロノグラフ時計を提供することにある。
【課題を解決するための手段】
【０００９】
本発明のレトログラード式のクロノグラフ表示機構は、前記目的を達成すべく、渦巻き状のカム面を備えたカムを有するカム車と、規制レバー部の先端部でカム面に当接し、カム車の順方向回転に応じて回動して、クロノグラフ指針を初期位置から該初期位置とは異なる最大位置までの範囲で表示させるレトログラード式表示の制御機構とを有するレトログラード式のクロノグラフ表示機構であって、カム車のカムの渦巻きの最大径部と該最小径部との間に形成される段差部又はその近傍の基準位置に規制レバー部の先端部が位置する際に、クロノグラフ指針が初期位置に設定されるように構成される。
【００１０】
本発明のレトログラード式のクロノグラフ表示機構では、「渦巻き状のカム面を備えたカムを有するカム車と、規制レバー部の先端部でカム面に当接し、カム車の順方向回転に応じて回動して、クロノグラフ指針を初期位置から該初期位置とは異なる最大位置までの範囲で表示させるレトログラード式表示の制御機構とを有する」が故に、カム面の渦巻き状形状を直接的に利用してレトログラード表示（クロノグラフ指針を初期位置から該初期位置とは異なる最大位置までの範囲で表示させる（以下同））を行い得るだけでなく、カム面の渦巻き状形状に必然的にある段差部即ち渦巻きの最大径部と該最小径部との間に形成される段差部を直接的に又は間接的に利用して、該段差部自体又はその近傍の位置を基準位置として、クロノグラフ指針が初期位置に設定されるようにしたもので、カムの渦巻き状形状を、レトログラード表示及びクロノグラフ指針の初期位置に対応する基準位置を決めるために用い得る。
【００１１】
このレトログラード式のクロノグラフ表示機構では、渦巻き状のカム面を備えたカムを有するカム車及びレトログラード式表示の制御機構がハートカムに替わり得るので、コスト高になり易いハートカムの利用を最低限に抑え得、所望ならば、ハートカムの使用をなくしてコストを最低限に抑えることが可能になる。また、渦巻き状カムを用いる場合、ハートカムでは複雑又は困難になる１８０度以上の回転角についてもレトログラード表示が容易且つ確実に行われ得る。更に、渦巻き状カムのカム面形状によってクロノグラフ指針の動きを規定できるので、直線状（等速）運針だけでなく、所望により非等速運針を行わせること可能である。
【００１２】
なお、本発明のレトログラード式のクロノグラフ表示機構では、カム車の回転駆動は、典型的には、モータによって行われる。
【００１３】
以上において、基準位置は、段差部の位置自体であっても、段差部の位置から少しズレた近傍位置であってもよい。
【００１４】
本発明のクロノグラフ表示機構では、典型的には、カム車のカムは、該カム車が逆方向に回転された際にのみ規制レバー部の先端部が侵入する引き込み部を有する。
【００１５】
この場合、カム車の逆転によってのみ到達可能な位置を設定し得るので、帰零状態を例えば順方向回転によっても設定可能な通常帰零状態と逆方向回転によってのみ設定可能な絶対帰零状態との二種類の帰零状態を設定することが可能になる。
【００１６】
なお、引き込み部がある場合、ここでは、該引き込み部の奥端を段差部の一部とみなす。
【００１７】
引き込み部がある場合、本発明のクロノグラフ表示機構では、典型的には、カム車の逆方向回転に応じて規制レバー部の先端部が引き込み部に侵入し引込み部の奥端に当接して、カム車のそれ以上の逆転を不能にしたことを検出する逆転不能検出部を有する。
【００１８】
この場合、位置検出が確実に行われ得る。なお、逆転不能検出部は、例えば、駆動用のモータの回転が不能化されたことを例えば回転駆動信号が入ったにもかかわらずロータが生じた形跡がないことや、ロータにかかる負荷（負荷トルク）が所定レベルを超えたこと等により検出する。
【００１９】
但し、カム従節をなす規制レバー部の先端部が引き込み部に侵入したことを、逆転不能（引き込み部の奥端の壁へのブツカリないし当接（度決め））によって検出する代わりに、規制レバー部の先端部が該引き込み部内に入ったことを該先端部の接触する部位の導電性その他の物理的性質の変化に伴うスイッチ接点のＯＮ／ＯＦＦとして検出するようにしてもよい。
【００２０】
逆転不能検出部を備える場合、本発明のクロノグラフ表示機構では、典型的には、逆転不能検出部によるカム車の逆転不能の検出に応じて、規制レバー部の先端部が、カム面の引き込み部の奥端に当接する状態からカム面の基準位置に当接する状態に至るに要する回転角だけカム車を回転させる位置決め回転部を有する。
【００２１】
この場合、カム車を逆転不能になるまで逆転させた後正転させることにより該カム車を基準位置に設定する絶対帰零状態を実現し得るので、例えば、カム車をまわすモータに対する回転駆動信号に応じて針位置を計る情報を保持する計時カウンタを備える状態で、衝撃等によりロータの保持トルクを超えるトルクが輪列に加わって実際の針位置と計時カウンタの保持する情報との間にズレが生じり、電池交換の際に計時カウンタで保持していた針位置情報が失われたときでも、該絶対帰零によって戻った位置を基準位置とすることにより、該ズレを正し得ることに加えて、バックラッシュの影響を実際上避け得る。
【００２２】
なお、バックラッシュが実際上問題にならない場合、逆転によりぶつかった位置（段差部の位置）をそのまま基準位置としてもよい。
【００２３】
本発明のクロノグラフ表示機構では、典型的には、前記レトログラード式表示の制御機構が、前記規制レバー部及びクロノグラフ指針用回転伝達車部を一体的に有するレバー車と、該レバー車のクロノグラフ指針用回転伝達車部によって回転される表示車とを有し、クロノグラフ指針が該表示車の回転に応じて回転されるように構成される。この場合、簡単な構造でレトログラード表示を行い得る。
【００２４】
本発明のクロノグラフ表示機構では、典型的には、クロノグラフ指針用回転伝達車部が扇形車である。この場合、構造を最大限簡単化し得る。
【００２５】
本発明のクロノグラフ表示機構では、典型的には、前記レトログラード式表示の制御機構が、規制レバー部の先端部をカム面に押付ける規制ばねを有する。この場合、レトログラード表示が正確に行われ得る。
【００２６】
本発明のクロノグラフ表示機構では、典型的には、クロノグラフ指針が最大計測値を表示する最大位置にあるときにカム車が順方向に回転されると、クロノグラフ指針が最大位置から初期位置へ瞬時に移動するように構成される。
【００２７】
この場合、レトログラード表示をするクロノグラフ指針を繰り返し増減する時間の表示をすることも可能になる。
【００２８】
本発明のクロノグラフ表示機構では、前記クロノグラフ指針が、秒クロノグラフ針、分クロノグラフ針及び時クロノグラフ針のうちの少なくとも一つの指針である。
【００２９】
本発明のクロノグラフ時計は、典型的には、上記のようなクロノグラフ表示機構を有する。
【発明を実施するための最良の形態】
【００３０】
次に、本発明の好ましい一実施の形態を添付図面に示した好ましい一実施例に基づいて説明する。
【実施例】
【００３１】
本発明の好ましい一実施例のクロノグラフ時計２は、本発明の好ましい一実施例のクロノグラフ表示機構１を備える。このクロノグラフ表示機構１は、構造的には、図１に示したように、渦巻き状ないしカタツムリ状の形状を備えたカム１１を一体的に有するカム車１０と、該カム車１０のカム１１に規制レバー部２１で係合したレバー車２０と、該レバー車２０の規制レバー部２１をカム車１０のカム１１のカム面１２に押付ける規制ばね３０と、レバー車２０の回転に応じて回転される指針車４０とを有する。ここで、レトログラード式表示の制御機構３は、レバー車２０と指針車４０とからなる。なお、クロノグラフ表示機構１は、図２に示したように、中間輪列を構成する中間車５１を介して、モータ５０に繋がっている。
【００３２】
より詳しくは、図１及び図２からわかるように、カム車１０は、回転軸１３と、該回転軸１３と一体的な渦巻き状カム１１と、該回転軸１３と一体的な歯車１４とを有する。渦巻き状カム１１は、回転軸１３の回転中心軸線ＡのまわりでＡ１方向及びＡ２方向に正転及び逆転可能である。渦巻き状カム１１の周面に形成された渦巻き状カム面１２は、回転軸１３の回転中心軸線ＡのまわりでＡ２に回転するほど回転中心軸線Ａから遠ざかるような形状を有し、このような形状を、この明細書では、渦巻き状ないしカタツムリ状の形状という。回転角に応じた回転中心軸線Ａからの距離の増加の仕方は、より大きくてもより小さくても、回転角に対して比例していても（すなわち、リニアでも）比例していなくても（すなわち、スーパーリニア又はサブリニアで非等速表示を行い得るようになっていても）よい。
【００３３】
渦巻き状カム１１のカム面１２は、より詳しくは、その最小径となる端部のところに、引き込み部としての凹部１５を備える。この凹部１５は、Ａ２方向に位置するほど中心軸線Ａに近付くように凹んだ底面部１６を備えると共にその奥端１７と最大径部１８とを結ぶ頂面部１９を備える。この例では、カム車１０のカム１１の渦巻きの最大径部１８と該最小径部１６との間に形成される段差部は、頂面部１９からなる。但し、引込み部１５がない場合、例えば、図１において、最大径部１８とこれに対応する部位Ｄ１（後述の基準位置）とを結ぶ円弧状面（図１において点Ｂを中心とする想像線で示した円弧に沿う面）Ｑが段差部になっていてもよい。
【００３４】
すなわち、カム車１０は、該カム車１０のカム１１のカム面１２がカタツムリ状ないし渦巻状の形状を有することを利用して、カム面１２の最大径部１８と最小径部（後述の初期位置Ａｍ）との間に必然的に生じる半径方向領域に、引き込み部としての凹部１５を備える。すなわち、レトログラード表示に応じた渦巻き状カム１１の形状を直接的に利用して、引き込み部としての凹部１５が形成されている。
【００３５】
レバー車２０は、回転軸２２と、規制レバー部２１と、クロノグラフ指針用回転伝達車部としての規制歯車２６とを有する。規制レバー部２１は、基端２３で該回転軸２２につながり、回転軸２２の中心軸線ＢのまわりでＢ１，Ｂ２方向に回転可能で、先端部２４が渦巻き状カム１１のカム面１２に対するカム従節をなす。規制歯車２６は、基端２５で回転軸２２につながった扇形車からなり、該扇形規制歯車２６の一側には、規制ばね３０が係合されて押付けられる係合突起部２７が形成されている。
【００３６】
なお、カム車１０の渦巻き状カム１１の最大径部１８とレバー車２０の先端部２４が該最大径部１８との係合が外れた際に、レバー車２０の先端部２４が、引き込み部ないし凹部１５の近傍においてカム１１のカム面１２に当接する部位Ｄ１が、カム面１２の基準位置としての初期位置である。また、レバー車２０のレバー部２１の先端部２４がカム車１０の部位Ｄ１に当たっている状態が、レバー車２０の初期位置ないし初期状態ＰＢ１である。
【００３７】
規制ばね３０は、基端３１側が時計２の地板の如き静置支持体５に固定され、レバー車２０の規制レバー部２１の先端部２４がカム従節として働くように、先端部３２が、レバー車２０の扇形規制歯車２６の係合突起部２７にＥ１方向に押付けられる。
【００３８】
指針車４０は、回転中心軸線ＣのまわりでＣ１，Ｃ２方向に回転可能な表示歯車４１、及び該表示歯車４１と一体的に回転中心軸線ＣのまわりでＣ１，Ｃ２方向に回転可能な指針４２とを有する。
【００３９】
この例では、レバー車が指針車４０に直接つながっているけれども、その代わりに中間の輪列を介してつながっていてもよい。
【００４０】
以上のように構成されたクロノグラフ表示機構１では、図３の（ａ）に示したように、規制レバー部２１の先端部２４が、カム車１０の渦巻き状カム１１のカム面１２のうち前述の基準位置（初期位置）Ｄ１に位置する際に、クロノグラフ指針４２が、目盛Ｍの初期位置Ｍ１を採る。この状態ないし位置Ｄ１，Ｍ１は、図１及び図２において示された状態ないし位置と同じである。
【００４１】
カム車１０の渦巻き状カム１１が正方向ないし順方向Ａ１に回転されると、図３の（ｂ）に示したように、レバー車２０のうち規制レバー部２１の先端部２４が係合するカム面１２の位置ないし部位１２ａが移動する。この部位１２ａは、カム車１０が静止した系でみるとカム面１２に沿ってＡ２方向に移動し、中心軸線Ａから徐々に遠ざかる。従って、カム車１０のＡ１方向回転に伴ってレバー車２０の規制レバー部２１がＢ１方向に回動され、指針車４０と一体的なクロノグラフ指針４２が、初期位置Ｍ１からＣ１方向に回動する。
【００４２】
更にカム車１０がＡ１方向に回転してレバー車２０がＢ１方向に回転し、図３の（ｃ）に示したように、規制レバー部２１の先端部２４がカム車１０の渦巻き状カム１１のカム面１２のうち最大径部Ｄ３の位置１８に達する回転位置ＰＢ３にレバー車２０が達すると、指針車４０がＣ１方向に回動して、クロノグラフ指針４２が、目盛Ｍの最大位置Ｍ３に達する。
【００４３】
なお、図３の（ｃ）に示した状態において、カム車１０が更に正方向Ａ１に回転されると、レバー車２０の規制レバー部２１の先端部２４が位置１８即ちＤ３から外れてレバー車２０がＢ２方向に回動され、規制レバー部２１の先端部２４が、丁度、カム車１０の基準位置（初期位置）Ｄ１に落ちる。その結果、指針車４０もＣ２方向に回動されて、指針４２が最大位置Ｍ３から初期位置Ｍ１にＣ２方向に直ちに戻る。
【００４４】
一方、カム車１０が逆転すなわち逆方向Ａ２に回転されると、レバー車２０の規制レバー部２１の先端部２４がカム面１２に沿ってＡ１方向に相対移動して、カム車１０の渦巻き状カム１１の奥の引き込み部ないし凹部１５に入り込む。この凹部１５は、カム面１２の初期位置Ｄ１よりもＡ１方向の奥に位置し、カム車１０が逆方向Ａ２に回転されてはじめてレバー車２０の規制レバー部２１の先端部２４が入り込み得るところである。なお、カム車１０のＡ２方向回転が進むと、レバー車２０の規制レバー部２１の先端部２４が引き込み部１５の奥端１７に突き当たって、カム車１０の回転が規制される。このとき、レバー車２０は、強制帰零ないし強制リセット回転位置ＰＢ０を採り、指針車１０のクロノグラフ指針４２が強制帰零ないし強制リセット位置Ｍ０を採る。この例では、凹部１５の底部１６（図１参照）が奥端１７に近付く程中心軸線Ａに近付くように凹んでいるので、位置Ｍ０は位置Ｍ１よりもＣ２方向にズレた位置にある。
【００４５】
なお、図２に示したように、中間の伝え車５１は、伝え歯車５２と伝えかな５３とを備え、伝えかな５３で、カム車１０の歯車１４に噛合し、伝え歯車５２でモータ５０のロータかな５４に噛合している。
【００４６】
クロノグラフ時計２は、その機能面から見れば、図４のブロック図に示したように、制御部６１、駆動部６２、計時表示部６３及び計時カウンタ６４、に加えて、スタート／ストップスイッチ６５ａ、及びリセットスイッチ６５ｂからなるスイッチ６５、並びに逆転不能検出部６６を有する。
【００４７】
ここで、駆動部６２は図２のモータ５０を含み、計時表示部６３は図２のクロノグラフ表示機構１を構成するカム車１０、レバー車２０、規制ばね３０及び指針車４０を含む。
【００４８】
図４のブロック図で示したクロノグラフ時計２において、スタート／ストップスイッチ６５ａが押圧されてクロノグラフ時計２のスタートが指示されると、制御部６１がクロックパルスの如き計時信号を発する。この計時信号は、一方では、計時カウンタ６４で計数されてクロノグラフとしての時の経過が計時される。他方、制御部からの計時信号に従って、駆動部６２のモータ５０が回転駆動され、該モータ５０の回転駆動に伴い、中間歯車５１、カム車１０及びレバー車２０を介して、指針車４０のクロノグラフ指針４２がレトログラード表示を行う。
【００４９】
図４のブロック図で示したクロノグラフ時計２において、スタート／ストップスイッチ６５ａが再度押圧されてクロノグラフ時計２の停止（ストップ）が指示されると、制御部６１からのクロックパルスの如き計時信号の送出が停止され、計時カウンタ６４の計時の増加が停止すると共に駆動部６２のモータ５０の駆動が停止されて、指針車４０のクロノグラフ指針４２の動きも止まる。
【００５０】
図４のブロック図で示したクロノグラフ時計２において、リセットスイッチ６５ｂが押圧されてクロノグラフ時計２の通常のリセットないし通常帰零が指示されると、カウントダウンを指示するカウントダウンパルスが制御部６１から計時カウンタ６４に与えられて計時カウンタ６４の計数値が減っていくと共に、駆動部６２のモータ５０が逆転駆動されて、指針車４０のクロノグラフ指針４２がＣ２方向に戻される。この通常リセット処理は、計時カウンタ６４の計数値がゼロになり、指針車４０のクロノグラフ指針４２が初期位置Ｍ１に戻ると、停止される。
【００５１】
一方、外部衝撃により例えばモータ５０のロータが回転してしまって計時カウンタ６４の内容と指針車４０のクロノグラフ指針４２の位置とがずれたり、電池交換の際の電源断により、計時カウンタ６４の保持情報が失われて計時カウンタ６４の内容と指針車４０のクロノグラフ指針４２の位置との適切な対応が失われたりした場合には、計時カウンタ６４の内容と指針車４０のクロノグラフ指針４２の位置とを強制的に一致させる必要がある。そのような強制的帰零ないし強制的リセットは、別途、行われる。
【００５２】
より詳しくは、このクロノグラフ表示機構１を備えたクロノグラフ時計２は、図５〜図７のフローチャートに示したように操作され動作する。
【００５３】
クロノグラフ時計２は、通常作動状態では、図５のフローチャート（流れ図）Ｆ７に示したようなステップＳ７１からＳ７７までの処理をする。
【００５４】
ステップＳ７１，Ｓ７２は初期状態復帰処理又は待機処理で、ステップＳ７１では、リセットスイッチ６５ｂの押圧の有無をチェックし、リセットスイッチ６５ｂが押された場合にはステップＳ７７の通常の帰零処理（図６に関連して後述）に移る。リセットスイッチ６５ｂの押圧がない場合にはステップＳ７２でスタートスイッチ（すなわちスタート／ストップスイッチ）６５ａの押圧チェックを行う。スタートスイッチ６５ａの押圧がない場合には、最初に戻って、ステップＳ７１，Ｓ７２の初期状態復帰処理又は待機処理を繰返す。スタートスイッチ６５ａが押されると、通常作動を開始し、ステップＳ７３において、制御部６１が例えば一パルス分だけ駆動部６２のモータ５０を駆動させて計時表示部６２の指針車４０のクロノグラフ指針４２の正転運針を行わせる。次に、ステップＳ７４に移って、制御部６１が駆動部６２及び計時表示部６３の駆動に相当する量（例えば一パルス分）だけ計時カウンタ６４を進めさせる。次に、ステップＳ７５において、ストップスイッチ６５ａが押圧の有無をチェックし、ストップスイッチ６５ａの押圧があれば運針を停止させると共に計時を停止させた上で（図示せず）最初に戻り、初期状態復帰指示がない限り待機処理を繰返す。ストップスイッチ６５ａの押圧がなければ、ステップＳ７６において通常のリセットスイッチ６５ｂの押圧の有無をチェックし、リセットスイッチ６５ｂの押圧があれば、ステップＳ７７の通常の帰零処理に移り、リセットスイッチ６５ｂの押圧がなければ、ステップＳ７３に戻って、クロノグラフ時計２としてのクロノグラフ指針４２の正転運針を続行させる。これにより、クロノグラフ表示機構１のクロノグラフ指針４２は、初期位置Ｍ１と最大位置Ｍ３との間で、目盛Ｍに応じたレトログラード表示を行う。
【００５５】
通常の帰零処理Ｓ７７では、図６のフローチャートＦ８に示したように、ステップＳ８１において、計時カウンタ６４の内容が０であるか否かをチェックして、計時カウンタ６４の内容が「０」でない場合、ステップＳ８２において、制御部６１が駆動部６２のモータ５０を逆転駆動し、カム車１０及びレバー車２０等を介して指針車４０のクロノグラフ指針４２を一ステップ分だけＣ２方向に回動させると共に計時カウンタ６４の内容を一ステップ分だけ減少させた後、再度ステップＳ８１に戻る。ステップＳ８２の逆転運針処理は、ステップＳ８１において計時カウンタ６４の内容が「０」になったことが確認されるまで続けられ、計時カウンタ６４の内容が「０」になったことが確認されると、帰零処理Ｓ７７が終了する。
【００５６】
一方、前述のように、外部衝撃その他の原因で歯車の歯飛び等が生じたりロータの不測の回転が生じたり、電池交換の際に計時カウンタ６４の保持情報が失われたりして、表示指針４２による目盛Ｍの表示位置と計時カウンタ６４の内容すなわち計時カウンタ６４に保持されたクロノグラフ時計２の計時値との間にズレが生じると、典型的には、帰零処理をしたにもかかわらず指針が初期位置Ｍ１からズレた位置にあったり、計時カウンタ６４による計時値が最大値に達したにもかかわらずクロノグラフ指針４２が最大位置Ｍ３に達からズレているような事態が生じる。
【００５７】
その場合、強制的な帰零処理により、クロノグラフ指針４２の位置と計時カウンタ６４の内容とを合わせる必要がある。この強制的な帰零処理を、図７のフローチャートＦ９に従って説明する。
【００５８】
この強制的な帰零処理を、計時カウンタ６４によって捉えられなくなったクロノグラフ指針４２の正確な位置を再度捉え得るようにするという意味で、ここでは、針位置検出処理とも呼ぶ。
【００５９】
この強制的な帰零処理ないし針位置検出処理は、フローチャートＦ９に従ったステップＳ９１〜Ｓ９６からなる。ステップＳ９１では、スタートスイッチ６５ａすなわちスタート／ストップスイッチ６５ａの長押しがあった場合に初めて次の逆転運針ステップＳ９２に進む。なお、当然ながら、クロノグラフ時計２において強制的な帰零処理ないし針位置検出処理を指示し得るスイッチであれば、他のスイッチでもよい。この逆転運針ステップＳ９２では、制御部６１が駆動部６２のモータ５０を逆転駆動させて、カム車１０を逆方向Ａ２に回転させ、レバー車２０をＢ２方向に回動させてレバー車２０の規制レバー部２１の先端部２４をカム車１０のカム１１のカム面１２に対して相対的にＡ１方向に変位させると共に、表示車４０のクロノグラフ指針４２をＣ２方向に回動させる。このカム車１０の逆方向Ａ２の回転、レバー車１０の規制レバー部２１の先端部２２のカム面１２に対するＡ１方向の相対変位、及び指針車４０のクロノグラフ指針４２のＣ２方向回動は、逆転不能検出部６６（図４）が逆転不能状態を検出するまで続けられる（ステップＳ９３）。この逆転不能状態は、この実施例のクロノグラフ表示機構１の場合には、レバー車２０の規制レバー部２１の先端部２４がカム車１０の渦巻き状カム１１のカム面１２の基準位置（初期位置）Ｄ１を越えて凹部１５内に侵入し、該凹部１５の底面１６に沿って、その奥端１７に突き当たってそれ以上の回転ができなくなる状態である。
【００６０】
この逆転不能状態が検出されると、ステップＳ９４に移って、引き込み部１５と基準位置（初期位置）Ｄ１との位相差分だけ、カム車１０が駆動部６２のモータ５０を介してＡ１方向に正転駆動される。このステップＳ９４の処理が、位置決め回転部の処理に対応する。この処理の結果、奥端１７に当接する位置にあった規制レバー部２１の先端部２４が、カム車１０のカム１１のカム面１２の底壁部１６に沿って初期位置Ｄ１に当接する位置に移動し、指針車４０のクロノグラフ指針４２が強制帰零位置Ｍ０から初期位置Ｍ１に移る。次に、この位相差分の正転駆動により基準位置（ゼロ位置）に戻ったとみなして、計時カウンタ６４を「０」にリセットする（ステップＳ９５）。これにより、クロノグラフ表示機１のクロノグラフ指針４２の初期位置Ｍ１が、計時カウンタ６４のリセット値（内容＝０）と一致し、指針４２の位置検出ないし強制的帰零処理が完了する（ステップＳ９６）。
【００６１】
なお、以上においては、強制的帰零位置を規制レバー２１の先端部２４が凹部１５の奥端１７に当接する逆転不能位置として規定したけれども、その代わりに、例えば、カム１１のカム面１２のうち初期位置Ｄ１よりもＡ１方向にズレた引き込み部ないし凹部１５の底面１６の途中の領域、例えば、図１において想像線Ｇで示した領域を物理的性質の異なる領域（例えば、導電性がまわりとは異なる領域）にしておいて、規制レバー部２１の先端部２４が該領域Ｇに接触する状態になったことをもって規制レバー部２１の先端部２４が強制的帰零位置に設定されたと判断し、次に、正転処理を開始して規制レバー部２１の先端部２４が該領域Ｇから離れた位置を強制的帰零位置とみなし、該位置から所定角度ないし位相だけ回転させて基準位置（初期位置）Ｄ１に復帰させるようにしてもよい。
【図面の簡単な説明】
【００６２】
【図１】本発明による好ましい一実施例のクロノグラフ表示機構の説明図。
【図２】図１のクロノグラフ表示機構を備えた本発明による好ましい一実施例のクロノグラフ時計の説明図。
【図３】図１の図１のクロノグラフ表示機構の動作ないし操作を示したもので、（ａ）は初期位置にあるクロノグラフ表示機構の説明図、（ｂ）は初期位置と最大位置との中間位置にあるクロノグラフ表示機構の説明図、（ｃ）は最大位置にあるクロノグラフ表示機構の説明図、（ｄ）は強制的帰零位置にあるクロノグラフ表示機構の説明図。
【図４】図２のクロノグラフ時計のブロック図。
【図５】図２のクロノグラフ時計の通常作動状態の操作・動作を示したフローチャート。
【図６】図２のクロノグラフ時計の通常の帰零処理を示したフローチャート。
【図７】図２のクロノグラフ時計の強制的帰零処理を示したフローチャート。
【符号の説明】
【００６３】
１  クロノグラフ表示機構
２  クロノグラフ時計
３  レトログラード式表示の制御機構
５  静置支持体
１０  カム車
１１  渦巻き状（カタツムリ状）カム
１２  カム面
１３  回転軸
１４  歯車
１５  引き込み部（凹部）
１６  底面
１７  奥端
１８  最大径部
１９  頂面
２０  レバー車
２１  規制レバー部
２２  回転軸
２３，２５  基端部
２４  先端部
２６  規制歯車
２７  係合突起部
３０  規制ばね
３１  基部
３２  先端部
４０  指針車
４１  表示車
４２  クロノグラフ指針
５０  モータ
５１  中間車
５２  伝え歯車
５３  伝えかな
５４  ロータかな
６１  制御部
６２  駆動部
６３  計時表示部
６４  計時カウンタ
６５  スイッチ
６５ａ  スタート／ストップスイッチ
６５ｂ  リセットスイッチ
６６  逆転不能検出部
Ａ，Ｂ，Ｃ  回転中心軸線
Ａ１，Ｂ１，Ｃ１  回転方向（正転）
Ａ２，Ｂ２，Ｃ２  回転方向（逆転）
Ｄ１  基準位置
Ｍ１  初期位置
Ｄ２，Ｍ２  中間位置
Ｄ３，Ｍ３  最大位置
【図１】
2009121962.tif 000003
【図２】
2009121962.tif 000004
【図３】
2009121962.tif 000005
【図４】
2009121962.tif 000006
【図５】
2009121962.tif 000007
【図６】
2009121962.tif 000008
【図７】
2009121962.tif 000009